(57)【要約】【課題】ワイヤハーネスの分岐部の分岐方向を制限することなく、省スペースで該分岐部を保護できる分岐部保護具を提供すること。【解決手段】ワイヤハーネス１００，２００，３００の分岐部１３０，２３０，３３０を保護する分岐部保護具１０，２０，３０であって、屈曲性を有し、短冊形状に形成された保護具本体１１，２１，３１と、保護具本体１１，２１，３１の少なくとも一部に設けられ、保護具本体１１，２１，３１を分岐部１３０，２３０，３３０に巻き回した状態に保持する保持手段１２，２２，３２とで構成した。【選択図】図１
2012196036.tif 000002
【特許請求の範囲】
【請求項１】
ワイヤハーネスの分岐部を保護する分岐部保護具であって、
屈曲性を有し、短冊形状に形成された保護具本体と、
前記保護具本体の少なくとも一部に設けられ、前記保護具本体を前記分岐部に巻き回した状態に保持する保持手段とで構成した
分岐部保護具。
【請求項２】
前記保持手段を、シート状に形成した基材と該基材の両面に接着剤を塗布した接着面とで構成される両面接着手段とし、
前記両面接着手段における一方の前記接着面を、前記保護具本体側に接着する本体側接着面に設定し、
前記保護具本体の長手方向の端部のみに前記本体側接着面を接着して構成した
請求項１に記載の分岐部保護具。
【請求項３】
前記両面接着手段における他方の前記接着面を、前記保護具本体を前記分岐部に巻き回した状態に保持する外側接着面に設定し、
前記接着面の接着力を保持したまま剥離可能な剥離紙を、前記外側接着面の全面に貼り付けて備えた
請求項２に記載の分岐部保護具。
【請求項４】
前記保護具本体と前記剥離紙とを、互いに異なる色で形成した
請求項３に記載の分岐部保護具。
【請求項５】
分岐部保護具シートを、保護具本体シートと両面接着テープとで構成し、
前記保護具本体シートを、
互いに平行に対向する一方の対向辺と、前記一方の対向辺に対して所定の角度をなし、互いに平行な対向する他方の対向辺とを有する四辺形状のシートで構成し、
前記一方の対向辺の長さを、前記保護具本体の長手方向の長さと略同等に形成すると共に、前記他方の対向辺の長さを、前記保護具本体の幅方向の長さの所定本数分と略同等に形成し、
前記両面接着テープを、
両面に接着剤が塗布され、前記他方の対向辺のうち少なくとも一辺に沿って前記保護具本体シートの端部に接着する構成とし、
前記分岐部保護具シートを、前記他方の対向辺の方向において前記保護具本体の幅方向の長さで等間隔に、前記一方の対向辺に平行な直線に沿って切断し、
切断された前記保護具本体シートで前記保護具本体を構成すると共に、切断された前記両面接着テープで前記両面接着手段を構成する
請求項２から４のいずれかに記載の分岐部保護具。
【発明の詳細な説明】
【技術分野】
【０００１】
この発明は、例えば、自動車等の車両に配索されるワイヤハーネスの分岐部を保護する分岐部保護具に関する。
【背景技術】
【０００２】
自動車等には、車両に搭載されている電子機器等の接続用にワイヤハーネスが車両各所に配索されている。このワイヤハーネスは、予め設定された配索経路に応じた分岐形状に設計され、車両へ取り付けられる。
【０００３】
詳しくは、ワイヤハーネスは、通常、開発の初期段階において、車両に配索される際に、車両を構成している部品と、ワイヤハーネスとが接触しないように設計される。
【０００４】
しかしながら、車両を構成する多数の部品やワイヤハーネスの配置や形状の改良に伴う変更等により、ワイヤハーネスを実際に配索すると、ワイヤハーネスと他の部品とが接触することがある。そのため、上記接触によって、電線の保護能力が乏しいワイヤハーネスの分岐部が破損しないように、分岐部を保護することが必要となる。
【０００５】
そこで、従来から、例えば、特許文献１及び２に示すようなワイヤハーネスの分岐部を保護する様々な分岐部保護具が提案されている。  
ところが、例えば、特許文献１に示された分岐部保護具は、片面に接着剤が塗布された方形のシート状に構成され、該分岐部保護具の各角部を直角三角形状に折り曲げて分岐部に装着するため、Ｔ字状の分岐部にしか対応していないという問題があった。
【０００６】
従って、元々Ｔ字状に分岐していない分岐部に、特許文献１に示す分岐部保護具を装着すると、分岐の方向をＴ字状に制限して無理な配索となる場合が発生する。このような配索形状が変更される無理な配索により、ワイヤハーネスの耐久性が悪化する懸念がある。
【０００７】
また、特許文献２に示された分岐部保護具は、柔軟性のない樹脂製であり、ボックス型に構成されており、狭い車両内に配索されているワイヤハーネスに装着したときに、広い装着スペースを必要とする問題があった。
【先行技術文献】
【特許文献】
【０００８】
【特許文献１】特開２００１−１３５１７３号公報
【特許文献２】特開２０００−１３９０１５号公報
【発明の概要】
【発明が解決しようとする課題】
【０００９】
そこで、この発明は、ワイヤハーネスの分岐部の分岐方向を制限することなく、省スペースで分岐部を保護できる分岐部保護具を提供することを目的とする。
【課題を解決するための手段】
【００１０】
この発明は、ワイヤハーネスの分岐部を保護する分岐部保護具であって、屈曲性を有し、短冊形状に形成された保護具本体と、前記保護具本体の少なくとも一部に設けられ、前記保護具本体を前記分岐部へ巻き回した状態に保持する保持手段とで構成したことを特徴とする。  
上述の分岐部は、例えば、十字、Ｔ字状、Ｙ字状、Ｌ字状といった様々な分岐数及び分岐形状を含む概念である。
【００１１】
この発明により、前記ワイヤハーネスの前記分岐部の分岐方向を制限することなく、省スペースで前記分岐部を保護できる。  
詳しくは、前記分岐部保護具は、前記保護具本体を屈曲性を有すると共に短冊形状で形成した構成であるため、前記保護具本体を前記分岐部の形状に沿って、ワイヤハーネスの分岐方向を制限することなく、分岐部に密着させて巻き回すことができる。
【００１２】
また、前記分岐部保護具は、前記保護具本体を前記分岐部へ巻き回した状態に保持する前記保持手段を前記保護具本体に備えていることにより、前記保護具本体を巻き回した状態にしっかりと保持することができるため、前記分岐部保護具を前記分岐部に装着することができる。
【００１３】
従って、前記分岐部保護具は、ワイヤハーネスの分岐方向を制限することなく、省スペースで前記ワイヤハーネスの前記分岐部を保護することができる。  
さらに、前記分岐部保護具は、様々な巻き回し状態をとることができるため、例えば、Ｔ字状、十字状、Ｙ字状、Ｌ字状といった様々な分岐数及び分岐形状の前記分岐部に対して前記分岐部保護具を装着することができる。
【００１４】
この発明の態様として、前記保持手段を、シート状に形成した基材と該基材の両面に接着剤を塗布した接着面とで構成される両面接着手段とし、前記両面接着手段における一方の前記接着面を、前記保護具本体側に接着する本体側接着面に設定し、前記保護具本体の長手方向の端部のみに前記本体側接着面を接着して構成することができる。
【００１５】
この発明により、前記分岐部への前記分岐部保護具の巻き回しの途中において、前記保護具本体の長手方向の中央部は前記ワイヤハーネスや前記保護具本体自身に接着することがない。このため、最終的に前記両面接着手段を前記保護具本体に接着させて巻き回した状態を保持するまでは、巻き回しに失敗しても前記分岐部保護具を何度でも巻き直すことができる。
【００１６】
また、この発明の態様として、前記両面接着手段における他方の前記接着面を、前記保護具本体を前記分岐部に巻き回した状態に保持する外側接着面として設定し、前記接着面の接着力を保持したまま剥離可能な剥離紙を、前記外側接着面の全面に貼り付けて備えることができる。
【００１７】
この発明により、前記分岐部保護具を前記分岐部に巻き回した後に、前記外側接着面の全面を覆う前記剥離紙を剥がすことで、巻き回しの途中において、誤って前記外側接着面が前記ワイヤハーネスや前記保護具本体に接触してこれらと接着することを防止できる。従って、スムーズかつ容易に前記分岐部保護具を前記分岐部に巻き回すことができる。
【００１８】
また、この発明の態様として、前記保護具本体と前記剥離紙とを、互いに異なる色で形成することができる。  
この発明により、前記分岐部保護具における前記両面接着手段の位置を容易に認識することができる。従って、前記分岐部保護具の巻き回した状態における内側面と外側面、或いは、巻き回し始端部分と巻き回し終端部分とを間違えて巻き回してしまうことを防止できる。
【００１９】
また、この発明の態様として、分岐部保護具シートを、保護具本体シートと両面接着テープとで構成し、前記保護具本体シートを、互いに平行に対向する一方の対向辺と、前記一方の対向辺に対して所定の角度をなし、互いに平行な対向する他方の対向辺とを有する四辺形状のシートで構成し、前記一方の対向辺の長さを、前記保護具本体の長手方向の長さと略同等に形成すると共に、前記他方の対向辺の長さを、前記保護具本体の幅方向の長さの所定本数分と略同等に形成し、前記両面接着テープを、両面に接着剤が塗布され、前記他方の対向辺のうち少なくとも一辺に沿って前記保護具本体シートの端部に接着する構成とし、前記分岐部保護具シートを、前記他方の対向辺の方向において前記保護具本体の幅方向の長さで等間隔に、前記一方の対向辺に平行な直線に沿って切断し、切断された前記保護具本体シートで前記保護具本体を構成すると共に、切断された前記両面接着テープで前記両面接着手段を構成する前記分岐部保護具を製造することができる。
【００２０】
上述の四辺形状は、長方形状、正方形状、菱形状及び一般的な平行四辺形状を含む概念である。  
この発明により、前記分岐部保護具シートを短冊形状に等間隔に切断するだけで、同じ構成の前記分岐部保護具を容易に効率良く製造することができる。
【発明の効果】
【００２１】
この発明により、ワイヤハーネスの分岐部の分岐方向を制限することなく、省スペースで分岐部を保護できる分岐部保護具を提供することができる。
【図面の簡単な説明】
【００２２】
【図１】分岐部保護具の説明図。
【図２】図１におけるＥ部拡大図。
【図３】分岐部保護具シートの正面図。
【図４】Ｔ字状の分岐部に対する分岐部保護具の装着についての説明図。
【図５】Ｔ字状の分岐部に対する分岐部保護具の装着についての説明図。
【図６】十字状の分岐部に対する分岐部保護具の装着についての説明図。
【図７】Ｙ字状の分岐部に対する分岐部保護具の装着についての説明図。
【図８】Ｙ字状の分岐部に対する分岐部保護具の装着についての説明図。
【図９】第２実施形態の分岐部保護具の説明図。
【図１０】Ｔ字状の分岐部に対する第２実施形態の分岐部保護具の装着についての説明図。
【図１１】十字状の分岐部に対して第２実施形態の分岐部保護具を装着した状態の正面図。
【図１２】第３実施形態の分岐部保護具の説明図。
【図１３】Ｙ字状の分岐部に対する第３実施形態の分岐部保護具の装着についての説明図。
【発明を実施するための形態】
【００２３】
この発明の第１実施形態を以下図面と共に説明する。  
図１は第１実施形態の分岐部保護具１０の説明図を示している。詳しくは、図１（ａ）は分岐部保護具１０の正面図を示し、図１（ｂ）は図１（ａ）におけるＡ−Ａ断面図を示している。さらに、図２は図１（ｂ）における分岐部保護具１０の巻き回し終端部分１０ｄの拡大図を示している。
【００２４】
また、図３は切断されることで分岐部保護具１０となる分岐部保護具シート５０の正面図を示している。  
また、図４及び図５はＴ字状の分岐部１３０に対する分岐部保護具１０の装着についての説明図を示している。詳しくは、図４（ａ）はワイヤハーネス１００のＴ字状の分岐部１３０の正面図を示し、図４（ｂ）及び図５（ａ）は分岐部保護具１０をＴ次状の分岐部１３０へ巻き回して装着する方法の正面図を示し、図５（ｂ）は分岐部保護具１０をＴ次状の分岐部１３０へ巻き回して装着した状態の正面図を示している。
【００２５】
また、図６は十字状の分岐部２３０に対する分岐部保護具１０の装着についての説明図を示している。詳しくは、図６（ａ）はワイヤハーネス２００の十字状の分岐部２３０の正面図を示し、図６（ｂ）は分岐部保護具１０を十次状の分岐部２３０へ巻き回して装着した状態の正面図を示している。
【００２６】
また、図７及び図８はＹ字状の分岐部３３０に対する分岐部保護具１０の装着についての説明図を示している。詳しくは、図７（ａ）は分岐部保護具１０をワイヤハーネス３００の幹線３１０へ巻き回した状態の正面図を示し、図７（ｂ）は分岐部保護具１０を分岐線３２０へ巻き回した状態の正面図を示している。さらに、図８（ａ）は分岐部保護具１０をＹ字状の分岐部３３０へ装着した状態の正面図を示し、図８（ｂ）は図８（ａ）におけるＢ−Ｂ拡大断面図を示している。
【００２７】
分岐部保護具１０は、図１及び図２に示すように、保護具本体１１と両面接着部１２と剥離紙１３とで構成している。  
保護具本体１１は、屈曲性を有するＰＶＣ（ポリ塩化ビニル）製であり、後述するワイヤハーネス１００，２００，３００の分岐部１３０，２３０，３３０への巻き回しを許容する長さを有する短冊形状に形成している。
【００２８】
また、両面接着部１２は、シート状で屈曲性を有する基材１２ａと、該基材１２ａの両面に備えられ接着剤が塗布されている接着面１２ｂとで構成している。さらに、両面接着部１２は、幅方向Ｙの長さを上記保護具本体１１の幅方向Ｙの長さと等しく形成される。
【００２９】
ここで、基材１２ａの両面に備えられた上記接着面１２ｂのうち、一方の接着面を、保護具本体１１と接着する本体側接着面１２ｂａに設定し、他方の接着面を、分岐部１３０，２３０，３３０に対して分岐部保護具１０を巻き回した状態に保持する外側接着面１２ｂｂに設定する。
【００３０】
そして、図２に示すように、本体側接着面１２ｂａは、分岐部保護具１０をワイヤハーネス１００，２００，３００に巻き回した状態において、内側の面となる保護具本体１１の内側面１０ａにおける長手方向Ｘの巻き回し終端部分１０ｄに接着している。
【００３１】
さらに、剥離紙１３は、両面接着部１２と面の寸法及び形状が同一であり、両面接着部１２を完全に覆うように外側接着面１２ｂｂに貼り付けられている。また、剥離紙１３の表面を、保護具本体１１の表面と異なる色で構成している。なお、剥離紙１３は、外側接着面１２ｂｂの接着力を保持したまま、剥離することができる構成である。
【００３２】
上述の分岐部保護具１０は、図３に示すように、分岐部保護具シート５０を長手方向Ｘに沿って幅方向Ｙに等間隔に切断することで製造される。分岐部保護具シート５０は、保護具本体シート５１と両面接着テープ５２と剥離紙テープ５３とで構成されている。
【００３３】
保護具本体シート５１は、保護具本体１１と同一の材質、すなわち、屈曲性を有するＰＶＣ（ポリ塩化ビニル）製である。さらに、保護具本体シート５１は、長方形に形成されていて、図３における長手方向Ｘの長さは分岐部保護具１０の長手方向Ｘの長さと同一であり、図３における幅方向Ｙの長さは所定の本数の分岐部保護具１０が得られる長さに設定されている。
【００３４】
また、両面接着テープ５２は、後述する工程において切断されることで両面接着部１２として用いられるテープであり、テープ状で屈曲性を有する基材５２ａと、該基材５２ａの両面に接着剤を塗布した接着面５２ｂとで構成されている。
【００３５】
そして、基材５２ａの両面に備えられた上記接着面５２ｂのうち、一方の接着面５２ｂを、保護具本体シート５１と接着する本体シート側接着面５２ｂａに設定し、該本体シート側接着面５２ｂａを、保護具本体シート５１の内側面５０ａにおける長手方向Ｘの他端部分５０ｄに沿って接着している。
【００３６】
さらに、剥離紙テープ５３は、後述する切断工程を経て切断されることで剥離紙１３として用いられるテープであり、面の寸法及び形状を上記両面接着テープ５２と同一に形成すると共に、両面接着テープ５２を完全に覆うように両面接着テープ５２の外側の接着面に貼り付けている。
【００３７】
分岐部保護具１０は、上記分岐部保護具シート５０を上述したように図３に示す長手方向Ｘと平行な直線状の破線に沿って幅方向Ｙに等間隔に切断することで所定の本数製造される。図３に示す例では、１枚の分岐部保護具シート５０から８本分の分岐部保護具１０が製造される。
【００３８】
続いて、上述のように分岐部保護具シート５０を切断して製造された分岐部保護具１０をワイヤハーネス１００のＴ字状の分岐部１３０に巻き回して装着する装着方法について説明する（図４及び図５参照）。ここで、ワイヤハーネス１００のＴ次状の分岐部１３０は、図４（ａ）に示すように、直線状に延びる幹線１１０と、該幹線１１０に対して直交する方向に分岐する分岐線１２０とでＴ字状に形成している。
【００３９】
また、ワイヤハーネス１００は、多数の被覆電線９０をビニルテープ等の結束部材（図示省略）によって長手方向の所定箇所で適宜束ねて一体化している。なお、本明細書において、図４（ａ）における分岐部１３０の左側角部を１３０Ｌとし、右側角部を１３０Ｒとして説明する。
【００４０】
分岐部保護具１０は、分岐部１３０にたすき掛け状に巻き回した後、剥離紙１３を剥がして、両面接着部１２で巻き回し状態を保持することで分岐部１３０に装着される。  
具体的には、先ず、分岐部保護具１０の長手方向Ｘの巻き回し始端部分１０ｕを、分岐部１３０の右側角部１３０Ｒと幹線１１０を挟んで反対側の外周に配置する。このとき、分岐部保護具１０の内側面１０ａが分岐部１３０と接触した状態となる。
【００４１】
そして、図４（ｂ）に示すように、上述の位置に配置した巻き回し始端部分１０ｕを巻き回しの開始端として、左側角部１３０Ｌを通過する斜め方向へ分岐部１３０の外周に巻き回す。このとき、分岐部保護具１０によって分岐部１３０のより広い範囲を覆うために、分岐部保護具１０の巻き回し位置を図４（ｂ）における左斜め上方へ少しずつずらしながら巻き回すとよい。さらに、図４（ｂ）に示すように、分岐部保護具１０を幹線１１０における分岐部１３０の左側角部１３０Ｌ側の外周に幹線１１０に対して垂直に数周巻き回す。
【００４２】
続いて、図４（ｂ）に示された状態から、図５（ａ）に示すように、分岐部１３０の右側角部１３０Ｒを通過するように斜め方向に巻き回す。このときも、分岐部１３０を分岐部保護具１０によって、より広い範囲を覆うために分岐部保護具１０の巻き回し位置を右斜め上方へ少しずつずらしながら巻き回すとよい。
【００４３】
その後、幹線１１０における右側角部１３０Ｒ側の外周に、幹線１１０に対して分岐部保護具１０を垂直に数周巻き回す。この様にして分岐部保護具１０を分岐部１３０にたすき掛け状に巻き回すことができる。なお、上述した巻き回しを行なう際には、常に、分岐部保護具１０を長手方向Ｘに引っ張りながら、分岐部１３０に対して巻き回すことでしっかりと巻き回すことができる。
【００４４】
次に、図５（ａ）に示すように、両面接着部１２がある巻き回し終端部分１０ｄを残して、分岐部保護具１０をほぼ全て巻き回した後、剥離紙１３を両面接着部１２の外側接着面１２ｂｂから剥離する。
【００４５】
最後に、図５（ｂ）に示すように、長手方向Ｘの巻き回し終端部分１０ｄまで分岐部保護具１０を全て巻き回して、両面接着部１２の露出している外側接着面１２ｂｂを保護具本体１１の外側面１０ｂに接着させることで、分岐部１３０へ分岐部保護具１０を巻き回した状態に保持する。  
以上の装着方法により、分岐部保持具１０をＴ字状の分岐部１３０に装着することができる。
【００４６】
また、分岐部保護具１０を、上述の装着方法により、図６に示すように、ワイヤハーネス２００の十字状の分岐部２３０に対しても巻き回して装着することができる。ここで、ワイヤハーネス２００の十字状の分岐部２３０は、図６（ａ）に示すように、直線状に延びる幹線２１０と、該幹線２１０の同じ位置から幹線２１０に直交する方向に分岐する２本の分岐線２２０，２２１とで十字状に形成している。
【００４７】
なお、十字状の分岐部２３０にたすき掛け状に巻き回す際に、上述のＴ字状の分岐部１３０に巻き回す場合に比べて少し幹線２１０の長手方向に分岐部保護具１０を傾けて巻き回すことで、図６（ｂ）に示すように、分岐部保護具１０を十字状の分岐部２３０に対して装着することができる。
【００４８】
また、上述と同様の装着方法により、直線状に延びる幹線と、該幹線の同じ位置から幹線に直交する方向に分岐する３本或いは４本の分岐線とで形成される分岐部に対しても分岐部保護具１０を装着することができる。
【００４９】
また、上述の分岐部保護具１０を、例えば、以下に説明する方法によりワイヤハーネス３００のＹ字状の分岐部３３０に巻き回して装着する。ここで、ワイヤハーネス３００のＹ字状の分岐部３３０は、図７（ａ）に示すように、直線状に延びる幹線３１０と、該幹線３１０から分岐する分岐線３２０とでＹ字状に形成している。
【００５０】
先ず始めに、分岐部保護具１０を、図７（ａ）に示すように、長手方向Ｘの巻き回し始端部分１０ｕを巻き回しの開始端としてワイヤハーネス３００の幹線３１０の分岐部３３０を挟んだ一方の側（図７（ａ）における右側）から分岐部３３０を通って他方の側（図７（ａ）における左側）へ巻き回す。
【００５１】
さらに、図７（ｂ）に示すように、折り返して幹線３１０の上記他方の側から分岐部３３０を通って分岐線３２０へ、分岐部保護具１０を長手方向Ｘの巻き回し終端部分１０ｄ付近まで引き続き巻き回していく。  
次に、両面接着部１２がある巻き回し終端部分１０ｄを残して分岐部保護具１０をほぼ全て巻き回した後、剥離紙１３を両面接着部１２の外側接着面１２ｂｂから剥離する。
【００５２】
最後に、図８（ａ）及び図８（ｂ）に示すように、分岐部保持具１０の長手方向Ｘの巻き回し終端部分１０ｄまで分岐部保護具１０を全て巻き回して、両面接着部１２の露出している外側接着面１２ｂｂを保護具本体１１の外側面１０ｂに接着させることで、分岐部３３０へ分岐部保護具１０を巻き回した状態に保持する。  
以上の装着方法により、分岐部保持具１０をＹ字状の分岐部３３０に装着することができる。
【００５３】
上述のワイヤハーネス１００，２００，３００の分岐部１３０，２３０，３３０を保護する分岐部保護具１０の構成、及び、装着方法により、以下に述べる作用効果を奏する。  
分岐部保護具１０は、ワイヤハーネス１００，２００，３００の分岐部１３０，２３０，３３０の分岐方向を制限することなく、省スペースで分岐部１３０，２３０，３３０を保護することができる。
【００５４】
詳しくは、分岐部保護具１０は、保護具本体１１が屈曲性を有すると共に短冊形状で形成したため、保護具本体１１を分岐部１３０，２３０，３３０の形状に沿って、ワイヤハーネス１００，２００，３００の分岐方向を制限することなく、分岐部１３０，２３０，３３０に密着させて巻き回すことができる。
【００５５】
さらに、分岐部保護具１０は、分岐部１３０，２３０，３３０へ保護具本体１１を巻き回した状態に保持する保持手段である両面接着部１２を保護具本体１１に備えたことにより、保護具本体１１を巻き回した状態にしっかりと保持することができ、分岐部１３０，２３０，３３０に装着することができる。
【００５６】
従って、分岐部保護具１０は、ワイヤハーネス１００，２００，３００の分岐部１３０，２３０，３３０の分岐方向を制限することなく、省スペースで分岐部１３０，２３０，３３０を保護することができる。
【００５７】
さらに、分岐部保護具１０は、様々な巻き回し状態で装着することができるため、例えば、Ｔ字状、十字状、Ｙ字状といった様々な分岐数及び分岐形状の分岐部１３０，２３０，３３０に対して分岐部保護具１０を装着することができる。
【００５８】
また、保持手段として両面接着部１２を保護具本体１１の巻き回し終端部分１０ｄのみに設けたことにより、両面接着部１２における外側接着面１２ｂｂも巻き回し終端部分１０ｄのみに有する。
【００５９】
従って、分岐部１３０，２３０，３３０への分岐部保護具１０の巻き回しの途中において、保護具本体１１の長手方向Ｘの中央部はワイヤハーネス１００，２００，３００や保護具本体１１自身に接着することがない。このため、最終的に両面接着部１２を保護具本体１１に接着させて巻き回した状態を保持するまでは、巻き回しに失敗しても何度でも巻き直すことができる。
【００６０】
また、分岐部保護具１０に両面接着部１２における外側接着面１２ｂｂの全面を覆う剥離紙１３を備えていることにより、分岐部保護具１０を分岐部１３０，２３０，３３０に巻き回した後に剥離紙１３を剥がすことで、巻き回しの途中において、誤って外側接着面１２ｂｂがワイヤハーネス１００，２００，３００や保護具本体１１に接触してこれらと接着することを防止できる。従って、スムーズかつ容易に分岐部保護具１０を分岐部１３０，２３０，３３０に巻き回すことができる。
【００６１】
また、保護具本体１１と剥離紙１３とは互いに異なる色で構成しているので、分岐部保護具１０における両面接着部１２の位置を容易に認識することができる。従って、分岐部保護具１０の巻き回した状態における内側面１０ａと外側面１０ｂ、或いは、巻き回し始端部分１０ｕと巻き回し終端部分１０ｄとを間違えて巻き回してしまうことを防止できる。
【００６２】
さらに、上述の分岐部保護具１０の製造方法により、分岐部保護具シート５０を長手方向Ｘに沿って幅方向Ｙに等間隔に切断するだけで、同じ構成の分岐部保護具１０を容易に効率良く製造することができる。
【００６３】
なお、上述の第１実施形態における分岐部保護具１０は、剥離紙１３を備えているが、剥離紙１３を備えていなくてもよい。また、分岐部保護具１０は、両面接着部１２を備えているが、両面接着部１２の代わりに保護具本体１１に接着剤を直接塗布してもよい。
【００６４】
次に、第２実施形態として、図９及び図１０に示す実施形態を説明する。  
図９は第２実施形態の分岐部保護具２０の説明図を示している。詳しくは、図９（ａ）は分岐部保護具２０の正面図を示し、図９（ｂ）は分岐部保護具２０の背面図を示し、図９（ｃ）は図９（ａ）おけるＣ−Ｃ断面図を示している。
【００６５】
また、図１０はＴ字状の分岐部１３０に対する分岐部保護具２０の装着についての説明図を示している。詳しくは、図１０（ａ）は分岐部保護具２０をワイヤハーネス１００のＴ字状の分岐部１３０へ巻き回して装着する方法の正面図を示し、図１０（ｂ）は分岐部保護具２０をＴ字状の分岐部１３０へ装着した状態の正面図を示している。  
また、図１１はワイヤハーネス２００の十字状の分岐部２３０に対して分岐部保護具１０を装着した状態の正面図を示している。
【００６６】
分岐部保護具２０は、図９に示すように、保護具本体２１と面ファスナ２２とで構成される。  
保護具本体２１は、上述のワイヤハーネス１００，２００の分岐部１３０，２３０への巻き回し可能な長さを有する短冊形状に形成すると共に、長手方向Ｘ及び幅方向Ｙに伸縮性、並びに、クッション性、屈曲性を有するメリヤス布帛で構成する。
【００６７】
また、面ファスナ２２は、図９に示すように、一対の鉤状面ファスナ２２ａとループ状面ファスナ２２ｂとで構成する。  
鉤状面ファスナ２２ａは、非伸縮性の素材で構成され、保護具本体２１に縫着されている。一方、ループ状面ファスナ２２ｂは、長手方向Ｘ及び幅方向Ｙに伸縮性を有し、伸縮糸でもって保護具本体２１と共に伸縮するように縫着されている。
【００６８】
また、鉤状面ファスナ２２ａは、図９（ａ）に示すように、保護具本体２１の内側面２０ａの長手方向Ｘにおける巻き回し終端部分２０ｄ、すなわち、図９中の分岐部保護具２０の下端部分に設けられている。一方、ループ状面ファスナ２２ｂは、図９（ｂ）に示すように、保護具本体２１の外側面２０ｂのほぼ全面に設けられている。
【００６９】
上述の分岐部保護具２０を、例えば、以下に説明する方法により上述のワイヤハーネス１００のＴ字状の分岐部１３０にたすき掛け状に巻き回して装着する（図１０参照）。  
先ず、分岐部保護具２０の長手方向Ｘの巻き回し始端部分２０ｕを、分岐部１３０の右側角部１３０Ｒと幹線１１０を挟んで反対側の外周に配置する。このとき、分岐部保護具２０の内側面２０ａが分岐部１３０と接触した状態となる。
【００７０】
そして、上述の位置に配置した巻き回し始端部分２０ｕを巻き回しの開始端として、左側角部１３０Ｌを通過する斜め方向へ分岐部１３０の外周に巻き回す。さらに、図１０（ａ）に示すように、分岐部保護具２０を分岐部１３０において左側角部１３０Ｌ側の幹線１１０の外周に幹線１１０に対して垂直に一周巻き回す。
【００７１】
続いて、図１０（ａ）に示された状態から、右側角部１３０Ｒを通過するように斜め方向に巻き回す。その後、幹線１１０における右側角部１３０Ｒ側の外周に巻き回す。
【００７２】
この様にして分岐部保護具２０を分岐部１３０にたすき掛け状に巻き回すことができる。なお、上述した巻き回しを行なう際には、常に、分岐部保護具２０を長手方向Ｘに引き伸ばしながら、分岐部１３０に対して巻き回すことでしっかりと巻き回すことができる。
【００７３】
最後に、長手方向Ｘの巻き回し終端部分２０ｄまで分岐部保護具２０を巻き回した後、巻き回し終端部分２０ｄに設けられた面ファスナ２２の鉤状面ファスナ２２ａをループ状面ファスナ２２ｂに係着させることで、分岐部１３０へ分岐部保護具２０を巻き回した状態に保持する。
【００７４】
以上の装着方法により、分岐部保持具２０をＴ字状の分岐部１３０に装着することができる。また、上記装着方法は、Ｔ字状の分岐部１３０に限らず、図１１に示すように、十字状の分岐部２３０にも対しても用いることができ、さらに多分岐の分岐部、或いは、Ｙ字状の分岐部３３０に対しても用いることができる。
【００７５】
次に、第３実施形態として、図１２及び図１３に示す実施形態を説明する。  
図１２は第３実施形態の分岐部保護具３０の説明図を示している。詳しくは、図１２（ａ）は分岐部保護具３０の正面図を示し、図１２（ｂ）は分岐部保護具３０の背面図を示し、図１２（ｃ）は図１２（ａ）におけるＤ−Ｄ断面図を示している。
【００７６】
また、図１３はＹ字状の分岐部３３０に対する分岐部保護具３０の装着についての説明図を示している。詳しくは、図１３（ａ）は分岐部保護具３０をワイヤハーネス３００の幹線３１０へ巻き回した状態の正面図を示し、図１３（ｂ）は分岐部保護具３０をＹ字状の分岐部３３０へ装着した状態の正面図を示している。
【００７７】
分岐部保護具３０は、図１２に示すように、保護具本体３１と面ファスナ３２（３２ａ，３２ｂ，３２ｃ，３２ｄ）とで構成する。  
保護具本体３１は、上述のワイヤハーネス３００の分岐部３３０への巻き回しを許容する長さを有する短冊形状に形成され、屈曲性、長手方向Ｘ及び幅方向Ｙに伸縮性、及び、クッション性を有するメリヤス布帛で構成する。
【００７８】
また、面ファスナ３２は、図１２に示すように、分岐部保護具３０の両面、すなわち、内側面３０ａ及び外側面３０ｂにおける長手方向Ｘの両端部分、すなわち、巻き回し始端部分３０ｕ及び巻き回し終端部分３０ｄにそれぞれ設ける。面ファスナ３２ａから面ファスナ３２ｄまでの全てがループ・フック混在型、すなわち、ループ状の起毛とフック状の起毛とが混在している。また、長手方向Ｘ及び幅方向Ｙに伸縮性を有し、保護具本体３１と共に伸縮可能な構成である。
【００７９】
上述の分岐部保護具３０を、例えば、以下に説明する方法により上述のワイヤハーネス３００のＹ字状の分岐部３３０に巻き回して装着する（図１３参照）。  
先ず、分岐部保護具３０を、図１３（ａ）に示すように長手方向Ｘの巻き回し始端部分３０ｕを巻き回しの開始端として幹線３１０の分岐部３３０を挟んだ一方の側（図１３（ａ）における右側）から分岐部３３０を通って他方の側（図１３（ａ）における左側）へ巻き回す。
【００８０】
さらに、図１３（ｂ）に示すように、折り返して幹線３１０の他方の側から分岐部３３０を通って分岐線３２０へ分岐部保護具３０を長手方向Ｘの巻き回し終端部分３０ｄまで引き続き巻き回すことで分岐部３３０に装着する。
【００８１】
なお、分岐部保護具３０の巻き回し始端部分３０ｕにおいて、面ファスナ３２ａと面ファスナ３２ｂとを係着し、また、分岐部保護具３０の巻き回し終端部分３０ｄにおいて、面ファスナ３２ｃと面ファスナ３２ｄとを係着することで、分岐部保護具３０を分岐部３３０へ巻き回した状態に保持する。
【００８２】
上述のワイヤハーネス１００，２００，３００の分岐部１３０，２３０，３３０を保護する分岐部保護具２０，３０の構成、及び、装着方法により、以下に述べる作用効果を奏する。  
分岐部保護具２０，３０は、上述の分岐部保護具１０と同様、ワイヤハーネス１００，２００，３００の分岐方向を制限することなく省スペースで分岐部１３０，２３０，３３０を保護することができる。さらに、分岐部保護具２０，３０は、Ｔ字状、十字状、Ｙ字状といった様々な分岐数及び分岐形状の分岐部に対して巻き回して分岐部保護具２０，３０を装着することができる。
【００８３】
また、分岐部１３０，２３０，３３０の形状に沿って装着して、分岐部１３０，２３０，３３０をより確実に保護することができる。詳しくは、保護具本体２１，３１は伸縮性を有するため、保護具本体２１，３１を引き伸ばしながら分岐部１３０，２３０，３３０に巻き回すことにより、分岐部保護具２０，３０を分岐部１３０，２３０，３３０に強固に装着することができる。従って、分岐部保護具２０，３０の装着位置が振動等により、ずれることを防止できる。
【００８４】
また、保護具本体２１，３１は、伸縮性に加えて、クッション性を有するため、装着状態において、例えば分岐部１３０，２３０，３３０と、車両の構成部品等とが接触した場合であっても、接触による衝撃を吸収することができる。従って、分岐部保護具２０，３０による分岐部１３０，２３０，３３０の保護性能が向上すると共に、接触によって生じる接触音を低減することができる。
【００８５】
また、保持手段を面ファスナ２２，３２としたことにより、分岐部保護具２０，３０を分岐部１３０，２３０，３３０に簡単に着脱することができる。詳しくは、ボタンホック等の固定手段に比べ、面ファスナ２２，３２は係着位置を調整できるため、様々な径のワイヤハーネスであっても、分岐部保護具２０，３０を容易且つ確実に分岐部１３０，２３０，３３０に装着することができる。
【００８６】
また、例えば、ボタンホック等の変形性を有さない固定手段である場合、保護具本体２１，３１が屈曲しても、変形しない固定手段によって、分岐部１３０，２３０，３３０と保護具本体２１，３１との間に隙間が生じる。
【００８７】
これに対し、一般的に面ファスナ２２，３２自体に変形性を有するため、保護具本体２１，３１を分岐部１３０，２３０，３３０に密着させることができ、分岐部１３０，２３０，３３０を保護することができる。また、面ファスナ２２，３２は容易に着脱できるため、容易に密着させて、保護具本体２１，３１で分岐部１３０，２３０，３３０を保護することができる。
【００８８】
しかも、分岐部保護具２０，３０は、着脱自在な面ファスナ２２，３２により巻き回し状態を保持する構成であるため、分岐部保護具２０，３０を分岐部１３０，２３０，３３０に繰り返し着脱することができる。
【００８９】
従って、分岐部保護具２０，３０を分岐部１３０，２３０，３３０に装着する際に失敗しても、同じ分岐部保護具２０，３０を分岐部１３０，２３０，３３０に装着し直すことができる。また、一度古いワイヤハーネス１００，２００，３００の分岐部１３０，２３０，３３０に装着した分岐部保護具２０，３０を、別の新たなワイヤハーネスの分岐部に装着することもできる。
【００９０】
この発明の構成と、上述の実施形態との対応において、
この発明の保持手段は、両面接着部１２及び面ファスナ２２，３２に対応し、
両面接着手段は、両面接着部１２に対応するが、
この発明は、上述の実施形態の構成のみに限定されるものではなく、多くの実施形態を得ることができる。
【００９１】
例えば、上述の第１実施形態において、分岐部保護具シート５０の保護具本体シート５１は、長方形に形成されているが、正方形、菱形、或いは、一般的な平行四辺形に形成されていてもよい。  
また、例えば、分岐部への装着方法は、上述した方法に限らずワイヤハーネスの分岐部を保護できればいかなる装着方法であってもよい。
【符号の説明】
【００９２】
１０，２０，３０…分岐部保護具
５０…分岐部保護具シート
１１，２１，３１…保護具本体
５１…保護具本体シート
１２…両面接着部
１２ａ…基材
１２ｂ…接着面
１２ｂａ…本体側接着面
１２ｂｂ…外側接着面
５２…両面接着テープ
１３…剥離紙
５３…剥離紙テープ
２２，３２…面ファスナ
１００，２００，３００…ワイヤハーネス
１３０，２３０，３３０…分岐部
【図１】
2012196036.tif 000003
【図２】
2012196036.tif 000004
【図３】
2012196036.tif 000005
【図４】
2012196036.tif 000006
【図５】
2012196036.tif 000007
【図６】
2012196036.tif 000008
【図７】
2012196036.tif 000009
【図８】
2012196036.tif 000010
【図９】
2012196036.tif 000011
【図１０】
2012196036.tif 000012
【図１１】
2012196036.tif 000013
【図１２】
2012196036.tif 000014
【図１３】
2012196036.tif 000015